【事件の表示】
　特願２００８−１１４０８３号「遊技機および遊技機用の携帯型音声出力装置」拒絶査定不服審判事件〔平成２１年１１月１２日出願公開、特開２００９−２６１５８３号〕について、次のとおり審決する。
【結　論】
　本件審判の請求は、成り立たない。
【理　由】
第１　手続の経緯
　本件に係る出願（以下「本願」という。）は、平成２０年４月２４日の出願であって、平成２３年７月６日付けで拒絶査定がなされ（発送日：同年７月１９日）がなされたものである。
　これに対し、同年１０月１９日に拒絶査定不服審判の請求がなされ、その審判の請求と同時に手続補正がなされたものである。
　なお、拒絶査定と同日に平成２３年６月２３日付け手続補正についての補正却下の決定がなされている。
　
第２　平成２３年１０月１９日付け手続補正についての補正却下の決定
［補正却下の決定の結論］
　平成２３年１０月１９日付け手続補正（以下「本件補正」という。）を却下する。
　
［理由］
１　新規事項の追加について
　本件補正は、特許請求の範囲の請求項１について、本件補正前に「遊技の演出に関する音声にかかる音声信号を可視光線に変換する変換手段と、携帯型音声出力装置を載置する載置台と、前記載置台に載置された前記携帯型音声出力装置に対して、前記変換手段によって変換された可視光線を照射する照射手段と、を備え、
　前記携帯型音声出力装置は、前記遊技機による遊技の演出に関する音声を出力する遊技機用の携帯型音声出力装置であって、前記載置台に載置することによって、前記遊技機から照射される可視光線を受光する受光手段と、前記受光手段によって受光された可視光線を前記音声信号に変換する変換手段と、前記変換手段によって変換された音声信号に基づいて、前記携帯型音声出力装置に接続されるヘッドフォンから音声を出力する音声出力手段と、を備えたことを特徴とする遊技機。」とあったものを「遊技の演出に関する音声にかかる音声信号を可視光線に変換する変換手段と、携帯型音声出力装置を載置する載置台と、
遊技盤を保持する枠部材に設けられ、
下向きに
　前記携帯型音声出力装置は、前記遊技機による遊技の演出に関する音声を出力する遊技機用の携帯型音声出力装置であって、前記載置台に載置することによって、前記遊技機から照射される可視光線を受光する受光手段と、前記受光手段によって受光された可視光線を前記音声信号に変換する変換手段と、前記変換手段によって変換された音声信号に基づいて、前記携帯型音声出力装置に接続されるヘッドフォンから音声を出力する音声出力手段と、を備えたことを特徴とする遊技機。」（下線は当審にて付与。以下同様。）と補正することを含むものである。
　上記補正について検討する。
　本件補正後の特許請求の範囲の請求項１に記載された発明は、照射手段について、本件補正前に「変換手段によって変換された可視光線を照射する照射手段」とあったものを「
遊技盤を保持する枠部材に設けられ、
下向きに
　ここで、本件補正により付加された「遊技盤を保持する枠部材に設けられ」るとする事項について検討する。
　本願の願書に最初に添付された特許請求の範囲、明細書及び図面（以下「当初明細書等」という。）には、遊技盤の設置箇所について、「図１は、この発明の遊技機の一例を示す正面図である。この発明の遊技機は、
遊技盤１０１
遊技盤１０１の遊技領域１０３の外周部分には、枠部材１１０が設けられている
枠部材１１０は、遊技盤１０１の
遊技領域１０３の周囲を囲む形状を有している
　上記記載事項から、当初明細書等には、「遊技盤１０１」が、遊技機に備えられること、「遊技盤１０１」の遊技領域１０３の外周部分に「枠部材１１０」が設けられていること、「枠部材１１０」は、「遊技盤１０１」の遊技領域１０３の周囲を囲む形状を有していることが記載されている。これらの記載からすると、当初明細書等には、「枠部材１１０」が「遊技盤１０１」の周囲を囲むことは記載されているといえる。
　しかしながら、当初明細書等には、「枠部材」が「遊技盤」を保持することについて記載も示唆もされていない。
　しかも、「枠部材」が「遊技盤」を保持することは、当初明細書等の記載から自明なものでもなく、また、当初明細書等のすべての記載を総合することにより導かれる技術的事項との関係において、新たな技術的事項を導入しないものでもない。
　したがって、「枠部材」が「遊技盤を保持する」ことは、当初明細書等に記載されていない。
　よって、平成２３年１０月１９日付けでした手続補正は、当初明細書等に記載した事項の範囲内においてしたものでないから、特許法第１７条の２第３項に規定する要件を満たしていない。
　
２　独立特許要件について
（１）補正後の本件補正発明
　前記「１　新規事項の追加について」で述べたとおりであるが、本件補正により付加された「遊技盤を保持する枠部材に設けられ」ることを、「遊技盤１０１の遊技領域１０３の周囲を囲む枠部材１１０に設けられ」ることと正しく置き換えて、以下に検討する。そうすると、本件補正は、照射手段について、「変換手段によって変換された可視光線を照射する照射手段」とあったものを「
遊技盤１０１の遊技領域１０３の周囲を囲む枠部材１１０に設けられ、
下向きに
　そこで、本件補正後の特許請求の範囲の請求項１に記載された次の発明（以下「本件補正発明」という。）が特許出願の際独立して特許を受けることができるものであるか（特許法第１７条の２第６項において準用する同法第１２６条第５項の規定に適合するか）否かについて検討する。
　「遊技の演出に関する音声にかかる音声信号を可視光線に変換する変換手段と、携帯型音声出力装置を載置する載置台と、
遊技盤１０１の遊技領域１０３の周囲を囲む枠部材１１０に設けられ、
下向きに
　前記携帯型音声出力装置は、前記遊技機による遊技の演出に関する音声を出力する遊技機用の携帯型音声出力装置であって、前記載置台に載置することによって、前記遊技機から照射される可視光線を受光する受光手段と、前記受光手段によって受光された可視光線を前記音声信号に変換する変換手段と、前記変換手段によって変換された音声信号に基づいて、前記携帯型音声出力装置に接続されるヘッドフォンから音声を出力する音声出力手段と、を備えたことを特徴とする遊技機。」
　
（２）刊行物に記載された発明
　ア　原査定の拒絶理由において提示された、本願の出願前に頒布された刊行物である特開２００７−１１７５６５号公報（以下「刊行物１」という。）には、図面と共に次の事項が記載されている。 
　ａ　「【技術分野】
  本発明は、パチンコ遊技機やスロットマシン等の遊技機と電子端末とを用いた遊技システム、遊技機及び電子端末に関する。」（段落【0001】）
　ｂ　「【発明が解決しようとする課題】
　ところで、上述した特許文献１乃至３に記載された従来技術においては、遊技機側の構造を大幅に変更する必要がある。例えば、ＩＣカードや磁気カードへの情報の書き込みを実現するためには、遊技機にカード挿入口等を設けなければならない。しかしながら、遊技機の大きさは限られており、信号送信専用の構造を遊技機前面に追加すると、発光演出用の装飾ランプ等を配設するためのスペースが減少し、演出性能が低下するおそれがあるという問題がある。
　解決しようとする課題は、遊技機に既存の構成を利用した簡単且つ安価な構成により遊技者所有の電子端末に対する信号送信が可能な遊技システム、遊技機及び電子端末を提供することである。」（段落【0005】〜【0006】）
　ｃ　「１．
遊技機と
電子端末とからなる遊技システムであって
遊技機は、遊技機前面に設けられ、可視光を発する可視光素子を有する装飾ランプと
装飾ランプの可視光素子を所定の条件に応じて変調する変調手段とを備え
　手段１によれば、遊技機側において、遊技機前面に設けられた装飾ランプの可視光素子が所定の条件に応じて変調手段により変調されることによって、可視光素子から変調された可視光が発せられ、電子端末側において、その変調された可視光を受光部により受光し、それに基づいて遊技機からの信号を受信手段により受信することができる。
　従って、遊技機前面に一般的に設けられている発光演出用の装飾ランプを利用することにより、遊技機側に信号送信用の新たな構成を追加することなく、遊技機から電子端末への信号送信を実現することができる。また、人間の目に安全な可視光域を利用するので、高い電力で高速な信号送信を行うことができる。」（段落【0008】〜【0010】）
　ｄ　「５．前記可視光素子における発光演出用の点灯／消灯のパターンを表す発光演出パターンを記憶する発光演出パターン記憶手段を備え、
　前記変調手段は、前記
発光演出パターンに基づく
可視光素子の点灯期間中
　手段５によれば、装飾ランプの発光素子が、発光演出パターン記憶手段に記憶された発光演出パターンに基づいて点灯されている期間中に、変調手段が所定の条件に応じて変調を実行するので、確実に信号の送信を行うことができる。」（段落【0017】〜【0018】）
　ｅ　「１２．前記変調手段による前記可視光素子の変調パターンが遊技状態に応じて設定されることを特徴とする手段１乃至１１のいずれかに記載の遊技システム。
　手段１２によれば、変調手段による可視光素子の変調パターンが遊技状態に応じて設定されるので、電子端末が
遊技状態に応じて
　ｆ　「１８．前記遊技機は、前
記電子端末を着脱可能に取り付けるための取付部
　手段１８によれば、遊技者は、自身が所有する電子端末を遊技機の取付部に取り付けた状態で遊技を楽しむことができると共に、電子端末が床に落下して破損すること等を防止することができる。」（段落【0043】〜【0044】）
　ｇ　「２４．前記
取付部は、前記電子端末と前記装飾ランプの少なくとも一部とが正面視で重なる状態で前記電子端末を保持する
　手段２４によれば、
取付部が
電子端末を保持する
装飾ランプの可視光素子からの可視光を受光部において
受光できる
　ｈ　「２７．前記受光部は、少なくとも前記可視光素子の発する可視光領域に対して感度を有するフォトダイオードであることを特徴とする手段１乃至２６のいずれかに記載の遊技システム。
　手段２７によれば、受光部が少なくとも装飾ランプの可視光素子の発する可視光領域に対して感度を有するフォトダイオードであるので、
可視光素子の発する変調された可視光を受光して電気信号を出力する
　ｉ　「３２．前記表現動作手段は、
音声を発生する
　手段３２によれば、電子端末に設けられた
音声発生手段が、受信手段により受信された信号に基づいて音声を発生する
　ｊ　「３５．前記
電子端末は、携帯電話である
　手段３５によれば、携帯電話において、表現動作手段が受信手段により受信された信号に基づいて所定の表現動作を行うので、遊技者が所有する携帯電話を有効に活用して興趣の向上を図ることができる。
　３６．前記遊技機は、パチンコ遊技機であることを特徴とする手段１乃至３５のいずれかに記載の遊技システム。
　手段３６によれば、パチンコ遊技機の前面に一般的に設けられている発光演出用の装飾ランプを利用することにより、パチンコ遊技機側に信号送信用の新たな構成を追加することなく、パチンコ遊技機から電子端末への信号送信を実現することができる。
　３７．前記装飾ランプは、遊技領域を臨む視認窓の周囲に設けられたことを特徴とする手段３６に記載の遊技システム。
　手段３７によれば、パチンコ遊技機前面の
遊技領域を臨む視認窓の周囲に設けられている
　ｋ　上記ｈの記載事項によれば、
電子端末は、受光部によって受光された可視光素子の発する変調された可視光を電気信号として出力する手段
　
　上記ａ〜ｊの記載事項、上記ｋの認定事項及び図面の図示内容を総合勘案すると、刊行物１には、次の発明が記載されていると認められる。
「装飾ランプの可視光素子を、発光演出パターンに基づく可視光素子の点灯期間中に、遊技状態に応じて変調する変調手段と、
　携帯電話を着脱可能に取り付けるための取付部と、
　遊技領域を臨む視認窓の周囲に設けられ、取付部に保持される携帯電話に対して、少なくとも一部が正面視で重なる状態で変調手段で変調された可視光を発する可視光素子を有する装飾ランプと、
　を備えた遊技機と、携帯電話とからなり、
　携帯電話は、遊技状態に応じて変調された可視光を受信し、受信された信号に基づいて音声を発生する携帯電話であって、取付部に保持することによって、装飾ランプの可視光素子からの可視光を受光できる受光部と、受光部によって受光された可視光素子の発する変調された可視光を電気信号として出力する手段と、受信された電気信号に基づいて音声を発生する音声発生手段とを具備する遊技システム。」
　
　イ　当審にて新たに提示された、本願の出願前に頒布された刊行物である特開２００６−２９６９９０号公報（以下「刊行物２」という。）には、図面と共に次の技術事項が記載されている。
　ａ　「図９は発明の実施の形態３に係る遊技機のブロック図であり、図２と同一又は相当部分には同じ符号を付してある。この遊技機は、
受信許可信号発生部９３
の出力により点灯又は点滅する
発光部
９４を備える
　図１０は動作説明図である。図１０（ａ）は遊技機の列（いわゆる島）を上から見た図を示す。２つの発光部（ＬＥＤ）９４が遊技機の左右端にそれぞれ設けられている。その照射領域は遊技機の中央に向けられていて、２つの発光部（ＬＥＤ）９４の照射領域が重なっている（斜線の部分）。当該重複領域に携帯端末（携帯電話）ＣＰのアダプタＡＰがあるときにのみ、遊技台情報を受信する。図１０（ｂ）は
遊技機の上
に
発光部（ＬＥＤ）９４を設けた
携帯端末（携帯電話）ＣＰのアダプタＡＰがあるときにのみ、遊技台情報を受信する
　ｂ　「 第１発光素子９２Ｒ〜第３発光素子９２Ｂは、点滅制御部９１により点滅制御される。点滅制御は、ＬＥＤを超高速で点滅させることで光に情報を載せる技術（可視光通信）を装飾用照明９２に適用したもので、非接触で遊技台情報を遊技者に提供するためのものである。本発明の実施の形態では、
装飾用照明９２を装飾用と可視光通信用の両方に用いている
　ｃ　上記ａの記載事項及び【図10】(b)の図示内容によれば、遊技機の
前面上部から携帯電話ＣＰのアダプタＡＰに向けて下向きに
　
　上記ａ〜ｂの記載事項、上記ｃの認定事項及び図面の図示内容を総合勘案すると、刊行物２には、次の発明が記載されていると認められる。
「遊技機前面上部から携帯電話ＣＰのアダプタＡＰに向けて下向きに、受信許可信号発生部９３からの受信許可信号により点灯又は点滅する発光部９４を設け、発光部９４と携帯電話ＣＰのアダプタＡＰとの間で可視光通信を行う遊技機。」
　
（３）対比
　本件補正発明と刊行物１に記載された発明とを対比する。
　刊行物１に記載された発明の「装飾ランプの可視光素子を、発光演出パターンに基づく可視光素子の点灯期間中に、遊技状態に応じて変調する変調手段」と、本件補正発明の「遊技の演出に関する音声にかかる音声信号を可視光線に変換する変換手段」とは、前者において、変調手段により変調された可視光は、受光部において受信され音声を発生するものであって、「変調された可視光」は音声に関する信号といえるから、両者は、「遊技の演出に関する音声にかかる信号を可視光線に変換する変換手段」である点で共通し、以下同様に、
　刊行物１に記載された発明の「遊技領域を臨む視認窓の周囲に設けられ、取付部に保持される携帯電話に対して、少なくとも一部が正面視で重なる状態で変調手段で変調された可視光を発する可視光素子を有する装飾ランプ」を備えることと、本件補正発明の「遊技盤１０１の遊技領域１０３の周囲を囲む枠部材１１０に設けられ、載置台に載置された携帯型音声出力装置に対して、変換手段によって変換された可視光線を下向きに照射する照射手段」を備えることとは、前者において、「装飾ランプ」は、遊技機の前面に設けられるものであり、後者において、「照射手段」は、遊技機の前面に設けられているものであるから、両者は、「遊技機の前面に設けられ、載置台に載置された携帯型音声出力装置に対して、変換手段によって変換された可視光線を照射する照射手段」を備えることで、
　刊行物１に記載された発明の「受信された電気信号に基づいて音声を発生する音声発生手段」を具備することと、本件補正発明の「変換手段によって変換された音声信号に基づいて、携帯型音声出力装置に接続されるヘッドフォンから音声を出力する音声出力手段」を備えることとは、後者では、携帯型音声出力装置から出力される音声を、携帯型音声出力装置に接続されたヘッドフォンから出力するものであるから、両者は、「変換手段によって変換された音声信号に基づいて、携帯型音声出力装置から音声を出力する音声出力手段」を備えることで、
それぞれ共通する。
　そして、刊行物１に記載された発明の「携帯電話を着脱可能に取り付けるための取付部」は、その構成及び機能からみて、本件補正発明の「携帯型音声出力装置を載置する載置台」に相当し、以下同様に、
　刊行物１に記載された発明の「携帯電話は、遊技状態に応じて変調された可視光を受信し、受信された信号に基づいて音声を発生する携帯電話であ」ることは、本件補正発明の「携帯型音声出力装置は、遊技機による遊技の演出に関する音声を出力する遊技機用の携帯型音声出力装置であ」ることに、
　刊行物１に記載された発明の「取付部に保持することによって、装飾ランプの可視光素子からの可視光を受光できる受光部」を具備することは、本件補正発明の「載置台に載置することによって、遊技機から照射される可視光線を受光する受光手段」を備えることに、
　刊行物１に記載された発明の「受光部によって受光された可視光素子の発する変調された可視光を電気信号として出力する手段」を具備することは、本件補正発明の「受光手段によって受光された可視光線を音声信号に変換する変換手段」を備えることに、
　刊行物１に記載された発明の「遊技システム」は、本件補正発明の「遊技機」に、
それぞれ相当する。　
　
　したがって、両者の一致点および相違点は、次のとおりである。
［一致点］
「遊技の演出に関する音声にかかる信号を可視光線に変換する変換手段と、携帯型音声出力装置を載置する載置台と、遊技機の前面に設けられ、前記載置台に載置された前記携帯型音声出力装置に対して、前記変換手段によって変換された可視光線を照射する照射手段と、を備え、
　前記携帯型音声出力装置は、前記遊技機による遊技の演出に関する音声を出力する遊技機用の携帯型音声出力装置であって、前記載置台に載置することによって、前記遊技機から照射される可視光線を受光する受光手段と、前記受光手段によって受光された可視光線を前記音声信号に変換する変換手段と、前記変換手段によって変換された音声信号に基づいて、前記携帯型音声出力装置から音声を出力する音声出力手段と、を備えたことを特徴とする遊技機。」
　
［相違点１］
　変換手段により可視光線に変換される、遊技の演出に関する音声にかかる信号が、本件補正発明では、音声信号であるのに対して、刊行物１に記載された発明では、音声信号であるか否か不明である点。
　
［相違点２］
　遊技機の前面に設けられる照射手段が、本件補正発明では、遊技盤１０１の遊技領域１０３の周囲を囲む枠部材１１０に設けられ、携帯型音声出力装置に対して、可視光線を下向きに照射するのに対して、刊行物１に記載された発明では、遊技領域を臨む視認窓の周囲に設けられ、携帯電話に対して、少なくとも一部が正面視で重なる状態で可視光を発する点。
　
［相違点３］
　音声出力手段から出力される音声が、本件補正発明では、携帯型音声出力装置に接続されるヘッドフォンから出力されるのに対して、刊行物１に記載された発明では、ヘッドフォンから出力されるか否か不明である点。
　
（４）当審の判断
　ア　上記相違点１について
　発光素子を用いた光通信の技術分野において、音声に係る音声信号を可視光線に変換して送信することは、本願出願前に周知の技術事項である（例えば、特開２００４−２２１９４６号公報に示された音声用ＬＥＤ２１１や、実願昭５９−７１６３号（実開昭６０−１２１３４７号）に示されたマイクロフィルムの発光ダイオード１１や、特開昭６４−８６７２５号公報に示された音声用ＬＥＤ８を参照。）。
　そうすると、刊行物１に記載された発明に上記周知の技術事項を適用して、音声に係る音声信号を可視光線に変換して装飾ランプの可視光素子を用いて送信することは当業者が容易になし得たものである。
　
　イ　上記相違点２について
　刊行物２には、遊技機前面上部から携帯電話ＣＰのアダプタＡＰ（本件補正発明の「携帯型音声出力装置」に相当する。）に向けて下向きに、受信許可信号発生部９３からの受信許可信号により点灯又は点滅（本件補正発明の「照射」に相当する。）する発光部９４（本件補正発明の「照射手段」に相当する。）を設け、発光部９４と携帯電話ＣＰのアダプタＡＰとの間で可視光通信を行う遊技機について記載されている。
　そして、遊技機の技術分野において、遊技盤の遊技領域の周囲を囲む枠部材上部に装飾のための照射手段を設けることは、本願出願前に周知の技術事項である（例えば、特開２００６−１５８７０３号公報に示された表示装飾部材１６や、特開２００４−４９８３６号公報に示された装飾用ＬＥＤ８０や、特開２００１−１４９５６０号公報に示された装飾用ランプ２９Ａ、２９Ｂや、特開２００３−２３６０８５号公報に示された枠ランプ１９を参照。）。
　また、同じく、遊技機の技術分野において、照射手段に装飾用と可視光通信用の両方の機能を兼用させることは、本願出願前に周知の技術事項である（例えば、刊行物１の前記（２）アｄや、刊行物２の前記（２）イａ、ｃを参照。）。
　してみると、刊行物１に記載された発明の装飾ランプの可視光素子に、装飾のため上記周知の技術事項を適用して、枠部材上部に設けられた可視光素子を用いると共に、装飾用の可視光素子に可視光送信用の機能を兼用させ、その際に、刊行物２に記載された発明に倣って、可視光素子から可視光線を携帯電話に向けて下向きに照射して、上記相違点２に係る本件補正発明の具備する発明特定事項に到達することは、当業者が容易になし得たものである。
　
　ウ　上記相違点３について
　携帯電話を含め、音源からの音声を聴く装置一般において、音源からの音声をヘッドフォンやイヤフォンから出力することは、本願出願前から普通に行われていた技術事項である。
　さらに、遊技機の技術分野においても、音源からの音声をヘッドフォンやイヤフォンから出力することは、本願出願前に周知の技術事項である（例えば、特開２００７−２７５３４７号公報の段落【0023】や、実開平５−７０６８６号（実開平７−３９８９０号）のＣＤ−ＲＯＭの段落【0034】や、特開２００７−２６０１２４号公報の段落【0057】を参照。）。
　そうすると、上記周知の技術事項に倣って、刊行物１に記載された発明において、音声発生手段に接続されるヘッドフォンから音声を出力することは当業者が必要に応じてなし得たものである。
　
　エ　小括
　本件補正発明の奏する効果は、刊行物１〜２に記載された発明及び周知の技術事項から当業者が予測できた効果の範囲内のものである。
　したがって、本件補正発明は、刊行物１〜２に記載された発明及び周知の技術事項に基いて当業者が容易に発明をすることができたものであるから、特許法第２９条第２項の規定により、特許出願の際独立して特許を受けることができないものである。
　ゆえに、本件補正は、特許法第１７条の２第６項において準用する同法第１２６条第５項に規定する要件を満たしていない。
　
３　まとめ 
　以上、前記１、２で検討したとおりであるから、本件補正は、特許法第１７条の２第３項あるいは同法第１２６条第５項に規定に違反するので、同法第１５９条第１項において読み替えて準用する同法第５３条第１項の規定により却下すべきものである。 
　
第３　本願発明について
１　本願発明
　平成２３年１０月１９日付け手続補正は上記のとおり却下されたので、本願の請求項１に係る発明（以下「本願発明」という。）は、平成２３年１月３１日付け手続補正書の特許請求の範囲の請求項１に記載された事項により特定される次のとおりのものである。
「遊技の演出に関する音声にかかる音声信号を可視光線に変換する変換手段と、携帯型音声出力装置を載置する載置台と、前記載置台に載置された前記携帯型音声出力装置に対して、前記変換手段によって変換された可視光線を照射する照射手段と、を備え、
　前記携帯型音声出力装置は、前記遊技機による遊技の演出に関する音声を出力する遊技機用の携帯型音声出力装置であって、前記載置台に載置することによって、前記遊技機から照射される可視光線を受光する受光手段と、前記受光手段によって受光された可視光線を前記音声信号に変換する変換手段と、前記変換手段によって変換された音声信号に基づいて、前記携帯型音声出力装置に接続されるヘッドフォンから音声を出力する音声出力手段と、を備えたことを特徴とする遊技機。」
　
２　刊行物に記載された発明
　原査定の拒絶の理由に引用した刊行物１、刊行物１の記載事項及び刊行物１に記載された発明は、前記「第２［理由］２（２）刊行物に記載された発明」に記載したとおりである。
　
３　対比および判断
　本願発明は、前記「第２［理由］」において検討した本件補正発明において、照射手段についての限定を省くものである。
　そうすると、実質的に本願発明の発明特定事項をすべて含み、さらに、他の発明特定事項を付加したものに相当する本件補正発明が、前記「第２［理由］（３）対比および（４）当審の判断」に記載したとおり、刊行物１に記載された発明及び周知の技術事項に基いて当業者が容易に発明をすることができたものであるから、刊行物１に記載された発明と相違点１及び３で相違する本願発明は、刊行物１に記載された発明及び周知の技術事項に基いて当業者が容易に発明をすることができたものである。
　
４　むすび
　以上のとおりであるから、本願発明は、刊行物１に記載された発明及び周知の技術事項に基いて当業者が容易に発明をすることができたものであり、特許法第２９条第２項の規定により特許を受けることができない。
　したがって、本願のその他の請求項に係る発明について検討するまでもなく、本願は拒絶すべきものである。
　
　よって、結論のとおり審決する。